(57)【要約】【課題】少ない材料でコンパクトに輸送可能な段ボール迷路を提供する。【解決手段】矩形状の側面板（１）の左右両縁に一対のフラップ（２）を夫々折目（Ａ）を介して連設してなる壁部材（１０）と、前記壁部材（１０）の下縁より通路孔（５）を設けた通路部材（２０）を夫々複数連結配置してなる段ボール迷路（３０）において、前記側面板（１）の上下左右端縁に連結孔（３・３ａ）を夫々設け、前記フラップ（２）の上下端縁にフラップ孔（４・４ａ）を夫々設け、前記壁部材（１０）と前記通路部材（２０）を折目（Ａ）で略コの字状に折り曲げ、前記壁部材（１０）と前記通路部材（２０）の前記フラップ（２）の外面部を対向させ、前記連結孔（３・３ａ）と前記フラップ孔（４・４ａ）を夫々重ねあわせ連結材（６）で脱着自在に固定するようにした段ボール迷路。【選択図】図９
2019069128.tif 000002
【特許請求の範囲】
【請求項１】
矩形状の側面板（１）の左右両縁に一対のフラップ（２）を夫々折目（Ａ）を介して連設してなる壁部材（１０）と、前記壁部材（１０）の下縁より通路孔（５）を設けた通路部材（２０）を夫々複数連結配置してなる段ボール迷路（３０）において、前記側面板（１）の上下左右端縁に連結孔（３・３ａ）を夫々設け、前記フラップ（２）の上下端縁にフラップ孔（４・４ａ）を夫々設け、前記壁部材（１０）と前記通路部材（２０）を折目（Ａ）で略コの字状に折り曲げ、前記壁部材（１０）と前記通路部材（２０）の前記フラップ（２）の外面部を対向させ、前記連結孔（３・３ａ）と前記フラップ孔（４・４ａ）を夫々重ねあわせ連結材（６）で脱着自在に固定することを特徴とする段ボール迷路。
【請求項２】
前記壁部材（１０）及び前記通路部材（２０）の上下左右端縁に設けた連結孔（３・３ａ）とフラップ孔（４・４ａ）は、同形状で上下左右対称の位置に開孔したことを特徴とする請求項１に記載の段ボール迷路。
【発明の詳細な説明】
【技術分野】
【０００１】  この発明は、少ない材料でコンパクトに輸送可能な段ボール迷路に関するものである。
【背景技術】
【０００２】  従来より、段ボール迷路は図１０に示すような側面板を４枚繋ぎ合わせた箱形状の側面板に通路孔を設けた複数の部材をテープ又は連結材にて連結している。【０００３】  そして、納品の時は図１２に示すように折りたたんだ状態になる【０００４】  また、通路面と壁面が独立した迷路として特許文献１のような木製で形成された構造があり、仕切板の両辺に柱体を設け、前記仕切板と隣接する柱体を連結子にて連結する方法がある。
【先行技術文献】
【特許文献】
【０００５】
【特許文献１】特開２００１−１２０７９９
【発明の概要】
【発明が解決しようとする課題】
【０００６】  従来のように、箱形状の部材を複数連結する方法では図１１に示すように、迷路の経路によって部材を５種類程度準備する必要がある。【０００７】  また、箱形状の部材を夫々連結した連結面の通路面と壁面は二重構造になり多くの材料が必要となる。【０００８】  さらに、輸送時は折りたたむ事ができるが側面板２面分の長さを必要とし輸送時の３辺合計が大きくなるため輸送コストが多く必要となる。【０００９】  また、特許文献１のような木製素材では使用後に容易に廃棄又はリサイクルすることができない。そして、特許文献１の組立式迷路遊戯具では、下方の隣り合う柱体を固定するのに、プラスチック製の締結バンドを用いるので、幼児が迷路を通る際、締結バンドで怪我をする恐れがある。【００１０】  そこでこの発明は、リサイクルが容易で安全な段ボールを素材にして、コンパクトに輸送でき、組立・分解が容易な段ボール迷路を提供する事を目的とする。
【課題を解決するための手段】
【００１１】  矩形状の側面板の左右両縁に一対のフラップを夫々折目を介して連設してなる壁部材と、前記壁部材の下縁より通路孔を設けた通路部材を夫々複数連結配置してなる段ボール迷路において、前記側面板の上下左右端縁に連結孔を夫々設け、前記フラップの上下端縁にフラップ孔を夫々設け、前記壁部材と前記通路部材を折目で略コの字状に折り曲げ、前記壁部材と前記通路部材の前記フラップの外面部を対向させ、前記連結孔と前記フラップ孔を夫々重ねあわせ連結材で脱着自在に固定できるようにしたものである。そして、前記壁部材及び前記通路部材の上下左右端縁に設けた連結孔とフラップ孔は、同形状で上下左右対称の位置に開孔したものである。
【発明の効果】
【００１２】  壁部材と通路部材の二種類のパーツを夫々連結することで簡単に段ボール迷路を作る事ができる。【００１３】  また、長さは側面板１面分のため従来の２面分に比べ輸送効率が良く、使用材料も少ない。【００１４】  さらに、壁部材と通路部材が夫々独立しているため、段ボール迷路の経路を変更することが容易である。
【図面の簡単な説明】
【００１５】
【図１】本発明の段ボール迷路を構成する壁部材の展開図である。
【図２】段ボール迷路を構成する通路部材の展開図である。
【図３】段ボール迷路の組み立て過程を示す斜視構成図である。
【図４】段ボール迷路を１マス組み立てた状態を示す斜視構成図である。
【図５】連結材の連結過程を示す斜視構成図である。
【図５ａ】連結材の固定方法を示す斜視構成図である。
【図６】段ボール迷路を１マス組み立てた状態を示す上面図である。
【図７】段ボール迷路を９マス組み立てた状態を示す上面図である。
【図８】段ボール迷路の９マス組み立て過程を示す斜視構成図である。
【図９】段ボール迷路の９マス組み立てた状態を示す斜視構成図である。
【図１０】従来の段ボール迷路を組み立てる過程を示す斜視構成図である。
【図１１】従来の段ボール迷路の部材の種類を示す斜視構成図である。
【図１２】従来の段ボール迷路の保管状態を示す斜視構成図である。
【発明を実施するための形態】
【００１６】  本発明の第一実施例について、図１〜図９を参照しながら説明する。先ず、図１の段ボール迷路３０に使用する壁部材１０の展開図について説明する。矩形状の側面板１の両縁に一対のフラップ２を夫々折目Ａを介して連設し、側面板１の上下左右端縁に連結孔３・３ａを設け、フラップ２の上下端縁にフラップ孔４・４ａを設ける。
【００１７】  次に、図２の段ボール迷路３０に使用する通路部材２０の展開図について説明する。側面板１、フラップ２、連結孔３・３ａ、フラップ孔４・４ａは壁部材１０と同形状、同位置に配置し、側面板１の下縁に通路孔５を設ける。
【００１８】  このとき、連結孔３・３ａとフラップ孔４・４ａは図５に示すように、連結材６に合わせた形状にする。また、本実施例では一体型の連結材６を使用しているが、ネジなどでも良い。
【００１９】  次に連結材６の固定方法について、図５ａ〜図６を参照しながら説明する。連結材６は雄材６ａと雌材６ｂが一体型になったプラスチック素材からなり、雄材６ａを雌材６ｂに嵌入することにより、雌材６ｂに連結した固定板６ｃが左右に開き固定することができる。また、図６に示すように、雌材６ｂの厚みは側面板１とフラップ２を重ねあわせた段ボールの厚みに合わせている。
【００２０】  上記のような展開図からなる壁部材１０と通路部材２０を図３、４に示すように、夫々折目Ａより略コの字に折り曲げ、壁部材１０のフラップ孔４・４ａと通路部材２０の連結孔３・３ａが重なり合うように配置し、連結材６で図６に示すように固定すると段ボール迷路３０を１マス形成する事ができる。
【００２１】  前記のような構造であれば複数マスを形成することができる。図７〜図９により９マスの段ボール迷路３０を形成する構造を説明する。
【００２２】  １マスを形成する構造と同様に壁部材１０と通路部材２０を必要数用いる。壁部材１０と通路部材２０を夫々略コの字に折り曲げ、側面板１とフラップ２は図７に示すように配置し、連結材６にて固定する。このとき、図８に示すように外面となる面は壁部材１０をコの字に折り曲げずに展開状態で連結、Ｌ字の状態で連結することが好ましい。
【００２３】  以上、各実施例では、本発明の展開図からなる壁部材１０と通路部材２０の２種類の部材を組み合わせ連結することで複数マスの段ボール迷路３０を形成することができる。
【００２４】  また、素材に段ボールを使用することで安価に提供でき、使用後のリサイクルが容易にできる。そして、組立・分解が容易で、軽量かつ強度を有しているので、災害時の避難場所でのパーテーション等としても利用できるものである。
【符号の説明】
【００２５】１  側面板
２  フラップ
３、３ａ  連結孔
４、４ａ  フラップ孔
５  通路孔
６  連結材
６ａ  雄材
６ｂ  雌材
６ｃ  固定板
１０  壁部材
２０  通路部材
３０  段ボール迷路
Ａ  折目
【図１】
2019069128.tif 000003
【図２】
2019069128.tif 000004
【図３】
2019069128.tif 000005
【図４】
2019069128.tif 000006
【図５】
2019069128.tif 000007
【図５ａ】
2019069128.tif 000008
【図６】
2019069128.tif 000009
【図７】
2019069128.tif 000010
【図８】
2019069128.tif 000011
【図９】
2019069128.tif 000012
【図１０】
2019069128.tif 000013
【図１１】
2019069128.tif 000014
【図１２】
2019069128.tif 000015